【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
生タイヤを製造する、特に、搬送方向を有するコンベヤーの支持面上で前記生タイヤのためのブレーカープライパッケージを製造する方法であって、
長手方向軸と、ブレーカープライ長さと、前記長手方向軸に対して、設定された第１のコード角度をなす互いに平行な複数のコードと、を有する第１のブレーカープライを製造する工程であって、ほぼ平行な長手方向の複数のコードを備えた連続したゴムバンドの先頭部分が前記第１のコード角度で複数の第１の帯状体に切断され、複数のコードを有する所定数の前記第１の帯状体が互いに対して、設定された帯状体距離でほぼ平行に並置され、かつ前記コンベヤーの前記支持面上で、設定された前記ブレーカープライ長さの前記第１のブレーカープライを形成するために一緒に結合される工程と、
前記第１のブレーカープライの前記搬送方向の下流において、長手方向軸と、ブレーカープライ長さと、前記長手方向軸に対して、設定された第２のコード角度をなす互いに平行な複数のコードと、を有する第２のブレーカープライを製造する工程であって、ほぼ平行な長手方向の複数のコードを備えた前記連続したゴムバンドの前記先頭部分が前記第２のコード角度で複数の第２の帯状体に切断され、複数のコードを有する所定数の前記第２の帯状体が互いに対して、設定された帯状体距離でほぼ平行に並置され、かつ前記コンベヤーの前記支持面上で、予め設定されたブレーカープライ長さの前記第２のブレーカープライを形成するために一緒に結合される工程と、
を含み、
前記連続したゴムバンドは、第１の位置と第２の位置との間を動かされることができる供給装置によって前記長手方向の複数のコードの方向に供給され、
前記方法は、
前記第１のブレーカープライを製造する前に、前記供給装置が、前記連続したゴムバンドを、前記搬送方向と共に、前記第１のコード角度に等しい第１の角度を含む供給方向に供給するために配置される前記第１の位置に、前記供給装置を配置させる工程と、
前記第２のブレーカープライを製造する前に、前記第１の位置から、前記供給装置が、前記連続したゴムバンドを、前記搬送方向と共に、前記第１の角度に等しくなく前記第２のコード角度に等しい第２の角度を含む供給方向に供給するために配置される前記第２の位置へと前記供給装置を移動させる工程と、
前記第２のブレーカープライを製造する工程の前に、切断される前記ゴムバンドの前記先頭部分を、前記ゴムバンドの長手方向の中心線を中心として向き変えする工程と、
をさらに含む、
生タイヤを製造する方法。
【請求項２】
前記第１のブレーカープライ用の前記ゴムバンドが、前記第２のブレーカープライ用の前記ゴムバンドと同じ供給装置によって供給される、請求項１に記載の方法。
【請求項３】
前記第１のブレーカープライを製造するために使用される前記ゴムバンドが前記第２のブレーカープライを製造するためにも使用される、請求項２に記載の方法。
【請求項４】
切断される前記ゴムバンドの前記先頭部分はその外側端に、最後の第１の帯状体を切断するときに生じた切断線を有し、前記切断線は、前記向き変えの工程の前は、前記第１のコード角度をなし、前記向き変えの工程の後は、前記第２のコード角度をなす、請求項１に記載の方法。
【請求項５】
前記向き変えの工程は、切断される前記ゴムバンドの前記先頭部分の、前記ゴムバンドの前記の長手方向の中心線を中心とする、ほぼ１８０度の回転を含む、請求項１に記載の方法。
【請求項６】
前記ゴムバンドが、バンド厚さ方向の両側にそれぞれ、前記ゴムバンドの第１の主面と、反対方向を向いた第２の主面と、を有し、切断される前記ゴムバンドの前記先頭部分の位置にある前記第１の主面と前記第２の主面は、向き変えの後に、向き変えの前のそれらの元の向きに対して反対方向を向いている、請求項１に記載の方法。
【請求項７】
前記供給装置は、前記ゴムバンドをその中で向き変えする回転部と、切断される前記ゴムバンドの前記先頭部分を、前記帯状体が切断される位置に送る送り部、とを有し、
前記方法は、
前記第１のブレーカープライを製造するための最後の第１の帯状体を切断した後、切断される前記ゴムバンドの前記先頭部分を、前記送り部から、切断される前記ゴムバンドの前記先頭部分が前記送り部の係合位置を超えて、前記回転部によって保持される位置へと戻す工程と、
上記の工程の、切断される前記ゴムバンドの前記先頭部分を向き変えする工程と、
向き変えされた向きにおいて、切断される前記ゴムバンドの前記先頭部分を、前記回転部から前記送り部へ再度入れる工程と、
前記第２のブレーカープライを、上記した工程にしたがって製造する工程と、
をさらに含む、
請求項１に記載の方法。
【請求項８】
切断される前記ゴムバンドの前記先頭部分は、前記戻す工程の後、前記供給装置の位置にある前記回転部によって保持されるだけである、請求項７に記載の方法。
【請求項９】
複数のゴム帯状体を、ほぼ前記第２のブレーカープライを製造する間に、前記第１のブレーカープライ上に配置する工程をさらに有する、請求項１に記載の方法。
【請求項１０】
複数の前記ゴム帯状体が前記第１のブレーカープライ上にその長手方向の両側に沿って配置され、特に、前記長手方向の両側に沿って、前記搬送方向に延びている、請求項９に記載の方法。
【請求項１１】
複数の前記ゴム帯状体が前記第１のブレーカープライ上に置かれ、複数の前記ゴム帯状体は、前記搬送方向に対して横方向に、前記第１のブレーカープライの前記長手方向の両側を越えて延びている、請求項１０に記載の方法。
【請求項１２】
前記第２のコード角度は、１８０度から前記第１のコード角度を引いた角度にほぼ等しい、請求項１に記載の方法。
【請求項１３】
生タイヤを製造する、特に生タイヤのためのブレーカープライパッケージを製造する装置であって、
組み立てドラムと、
支持面を有し、前記支持面上のタイヤ構成部品を搬送方向に前記組み立てドラムへ搬送するコンベヤーと、
ほぼ互いに平行に埋め込まれた長手方向の複数のコードを有するほぼ連続したゴムバンドを前記コンベヤーに、前記長手方向の複数のコードの方向に供給する供給装置と、
前記連続したゴムバンドの先頭部分から複数の帯状体をコード角度が斜めになるように切断する切断装置と、
を有し、
前記供給装置は、前記供給装置が、前記連続したゴムバンドを、前記搬送方向と共に、前記第１のコード角度に等しい第１の角度を含む供給方向に供給するように配置される第１の位置と、前記供給装置が、前記連続したゴムバンドを、前記搬送方向と共に、前記第２のコード角度に等しい第２の角度を含む供給方向に供給するように配置される第２の位置との間を移動することができ、前記第２の角度は前記第１の角度に等しくなく、
前記供給装置は、支持体と、該支持体上に配置されて、切断される前記ゴムバンドの前記先頭部分を向き変えする回転部と、を備えており、前記回転部は、複数の係合部材と、該複数の係合部材を、向き変えの中心線を中心として回転できるように前記支持体に接続する軸受と、を備えており、前記複数の係合部材は、前記ゴムバンドと係合し、かつ前記の複数の係合部材を、前記係合したゴムバンド上で、前記向き変えの中心線を中心として回転させるように構成されている、
生のタイヤを製造する装置。
【請求項１４】
前記複数の係合部材は１つまたは複数の挿入コンベヤーベルト組み立て体を有し、該挿入コンベヤーベルト組み立て体は、前記ゴムバンドの長手方向において、前記挿入コンベヤーベルト組み立て体の位置で前記向き変えの中心線と一致する挿入方向に、前記ゴムバンドを入れるように構成されている、請求項１３に記載の装置。
【請求項１５】
前記供給装置は、前記ゴムバンドを前記１つまたは複数の挿入コンベヤーベルト組み立て体から前記切断装置へ通過させて送る１つまたは複数の送りコンベヤーベルト組み立て体をさらに備えており、前記１つまたは複数の挿入コンベヤーベルト組み立て体は、前記複数の送りコンベヤーベルト組み立て体に無関係に、前記向き変え前記中心線を中心として回転可能である、請求項１４に記載の装置。
【請求項１６】
前記第２のコード角度は、１８０度から前記第１のコード角度を引いた角度にほぼ等しい、請求項１３に記載の装置。
【請求項１７】
前記コンベヤーの上方を移動可能で、１つまたは複数のゴム帯状体を前記コンベヤー上の１つまたは複数のブレーカープライ上に置く１つまたは複数のゴム帯状体配置装置をさらに有する、請求項１３に記載の装置。